(57)【特許請求の範囲】
【請求項１】
情報要素（Ｉi(ai)）としてディスプレイユニット（２８）の上に表示可能な複数個の設備部分（ａi）を有する技術的設備に対する監視システムにおいて、情報要素（Ｉi(ai)）が設備状態に対して重要なプロセスデータ（ＰＤi）を手掛りにして、それぞれ２つの情報要素（Ｉi(ai)）の間の間隔が、それらの文脈的類似性の度合を表すように位置付けされて表示可能であることを特徴とする技術的設備に対する監視システム。
【請求項２】
技術的設備ならびにその設備部分（ａi）を特徴付ける多数の特徴（ｍi）が、情報要素（Ｉi(mi)）として、それぞれ２つの情報要素（Ｉi(mi)）の間の間隔がそれらの文脈的類似性の度合を表すように位置付けされて表示可能であることを特徴とする請求項１記載の監視システム。
【請求項３】
情報要素（Ｉi(ai)，Ｉi(mi)）が、それぞれ特徴（ｍi）を表す情報要素（Ｉi(mi)）と設備部分（ａi）を表す情報要素（Ｉi(ai)）との間の間隔が、この設備部分（ａi）へのこの特徴（ｍi）の文脈的類似性の度合と一致しているように、互いに位置付けされて表示可能であることを特徴とする請求項１または２記載の監視システム。
【請求項４】
予め定め得る規範を手掛りとしてプロセスデータ（ＰＤi）を選択するためのフィルタモジュール（２１）が設けられていることを特徴とする請求項１ないし３の１つに記載の監視システム。
【請求項５】
予め定め得る規範を手掛りとして設備部分（ａi）を選択するためのフィルタモジュール（２１）が設けられていることを特徴とする請求項１ないし３の１つに記載の監視システム。
【請求項６】
予め定め得る規範を手掛りとして特徴（ｍi）を選択するためのフィルタモジュール（２１）が設けられていることを特徴とする請求項１ないし３の１つに記載の監視システム。
【請求項７】
設備状態を特徴付ける状態複合体としての情報要素（Ｉi(ai)，Ｉi(mi)）の配置に対するデータメモリが設けられていることを特徴とする請求項１ないし４の１つに記載の監視システム。
【発明の詳細な説明】
本発明は、情報要素としてディスプレイユニットの上に表示可能な複数個の設備部分を有する技術的設備（プラント）、特に発電所設備に対する監視システムに関する。
技術的設備、特に発電所設備を制御するための制御盤には、全体として設備または作動状態を記述する大量の種々の測定データが常に生ずる。設備のオペレータは、作動状態に対してそれぞれ重要な測定データまたは測定量を識別し、また設備の状態に関するそれらの値を追跡し、解析し、また解釈するという課題を有する。その際に制御盤のプロセス制御は画像スクリーンを介して規定の形態の規格および基準によりほぼ決定されている。これらの規定はたとえばポンプおよび弁のような設備部分または設備要素に対するシンボルおよびディスプレイの彩色ならびに制御システムのディスプレイの構成を含んでいる。種々のディスプレイに加えて一般に設備全体を一望のもとに示す設備回路図が存在している。しかしこのような設備の自動化および複雑さの増大と共に、検出される測定データの数、従ってまた設備のそのつどの作動状態に対して重要な情報が重要な情報として早期に識別されない確率も増大している。こうして相応の対策の開始が遅きに失する可能性がある。
従って、本発明の課題は、技術的設備、特に発電所設備に対する監視システムであって、設備プロセスにおける異常を直接的に指示し、また特に故障の際の早期の対策を可能にする方法を提供することにある。
この課題は、本発明によれば、情報要素としてディスプレイユニットの上に表示可能な複数個の設備部分を有する技術的設備、特に発電所設備に対する監視システムにおいて、情報要素が設備状態に対して重要なプロセスデータを手掛りにして、それぞれ２つの情報要素の間の間隔がそれらの文脈的類似性の度合を表すように位置付けされて表示可能であることにより解決される。
その際に本発明は、形式概念解析の数学的モデルを基礎として大量のプロセスデータが“文脈（コンテクスト）的近似は空間的近似に相応する”という原理に従って設備状態に対するその意義に関してフィルタされ、圧縮されおよび／または構造化され得るという考察から出発している。形式概念解析の要点はたとえば刊行物エム・ルクセンブルガー著「含意、依存性およびガロア写像、形式概念解析への寄与」学位請求論文、ダルムシュタット工業大学（１９９３年）およびＮＡＴＯ高等研究所論文集「Banff/Can.」１９８１年、第４４５…４７０頁（１９８２年）ならびにケン・カルムバッハ著「離散的数学ターボ-パスカル-プログラムによる研究開始者のための集中コース」（１９８１年）にまとめられている。
設備の作動システムの一部分である技術的設備の情報システムから特徴のリストが準備され、その際特徴はその全体としてすべての可能な作動状態または設備状態を記述する。特徴自体はたとえば状態報知または報知列の要素となり得る設備部分の状態を一義的に記述する他の報知である。設備部分への特徴の対応付けは同様に技術的設備の情報システムから準備される実際に検出されたパラメータまたはモデル化された（シミュレートされた）パラメータを手掛りにして行われる。
次いでそれぞれ２つの設備部分の文脈的または内容的な近似が、それらに共通の特徴の数と設備部分の少なくとも１つが有する特徴の数との比により求められる。換言すれば、すべての特徴が合致するそれぞれ２つの設備部分が内容的に特に近いものとして分類され、それに対して特徴のいずれも合致しない２つの設備部分が内容的に近くないものとして分類される。
グラフィック表示のためには２つの設備部分の内容的な近似が設備部分を表す情報要素の空間的な近似に変換される。一方、それぞれ２つの特徴の空間的な近似が同様に求められ、その際にこれらの特徴を共通に有する設備部分の数が利用される。パラメータを手掛りにして特徴を有する各々の設備部分へのこれらの特徴の対応付けはこれらの特徴とこの設備部分との間の相関または関連性を一義的に決定する。
技術的設備の情報システムから準備されたパラメータは、合目的には、設備の作動状態の変化または正規状態からの偏差を特徴付ける事象報知の構成要素である。その際に事象報知は特有の識別子を手掛りにして相応する設備部分に一義的に対応付けられている。
発生したグラフィック表示は設備部分を表す情報要素の単なる配置であってもよく、または特徴を表す情報要素の単なる配置であってもよい。しかし、好ましくは、設備部分の情報要素も特徴の情報要素もグラフィックに表示され得る。その際に配置内の情報要素の互いの位置付けは、下記の規範が満足されるように、決定される。すなわちある設備部分がある特徴を有している場合には、それらの情報要素の相互間隔は予め定め得る第１の限界値よりも小さい。ある設備部分がある特徴を有していない場合には、それらの情報要素の相互間隔は予め定め得る第２の限界値よりも大きい。こうしてこれらの情報要素の間の間隔はこの設備部分へのこの特徴関連性の度合と一致している。
オペレータにそれぞれの設備状態に対して重要な情報の識別を特に簡単におよび／またはわかりやすい仕方で可能にするため、設備プロセス内で取得された測定データまたはそれから導出されたパラメータがフィルタされる。合目的には予め定められた規範を手掛りにして、設備部分のどれが表示されるかが決定される。たとえば、状態“故障あり”／“故障なし”または状態ＯＮ／ＯＦＦのような特徴が合致する設備部分が表示され得る。時間窓が、定められた時間の間に故障を報知する設備部分の間の関連性または交互作用が認識されるように、規範として予め定められると有利である。それにより、徴候的な故障と対照的に、原因的な故障が逆推論され得る。
故障の発生傾向を早期に認識し得るように、時間窓が特徴として予め定められると有利である。それにより、設備部分および特徴を表示する情報要素の時間的対応付けが可能である。好ましくは、相い続く事象報知の情報要素が状態複合体（複数の状態の組合せ）として共通に表示される。その際に状態複合体は、システム挙動と直接的に関連するパターンの特徴的な構造を有し得る。その際に合目的には情報要素の共通の表示からシステム状態が予測される。それにより、故障の兆しに既に初期段階で適切に予防的に対処することが可能である。
この状態複合体は参照複合体として利用され、また現在の状態複合体と比較される。この参照複合体には特定の設備挙動に対して特徴的なパターンが予め定められている。たとえば発電所設備における安全弁の急速閉止に通ずる故障が参照複合体の形態で存在し得る。この参照複合体との状態複合体の比較によりオンラインで開始する急速閉止がこの先行する故障報知に基づいて認識され得る。
情報要素が示される情報空間はｎ次元、好ましくは３次元である。従って、この情報空間内の各情報要素の位置を決定するため，好ましくは３つの空間座標が求められる。適当な指示装置、たとえば画像スクリーンの上にこうして制御盤における３次元の表示が可能となる。
以下、図面に示されている実施例により本発明を一層詳細に説明する。
図１は技術的設備に対して解析方法を実行するために設けられている構成要素を有する機能プラン、
図２は技術的設備の作動状態に対して特徴的な設備部分の配置およびその特徴を表す情報要素、
図３は設備の作動挙動に対して特徴的な状態複合体を示す。
設備構成要素１の図１による実施例中に示されているプロセス進行は詳細には示されていない発電所設備の全設備の一部である。設備構成要素１は蒸気管２に接続されているポンプａ1を含んでおり、その前段には蒸気弁ａ2が接続されており、また分岐管８のなかに吹き出し調節弁ａ3が接続されている。ポンプａ1と蒸気弁ａ2との間に流量センサ１２が設けられており、それにより単位時間あたり蒸気管２を通って流れる蒸気量が検出される。さらにポンプａ1の圧力側に圧力センサ１３が設けられている。ポンプａ1は回転数センサ１４を設けられている。蒸気弁ａ2ならびに吹き出し調節弁ａ3はそれぞれ制御および報知要素１５または１６を有する。ポンプａ1および蒸気弁ａ2ならびに吹き出し調節弁ａ3は以下では設備部分ａ1ないしａ3とも呼ばれる。
センサ１２、１３および１４により検出された測定値ならびに報知要素１５および１６により発せられた報知信号はプロセスデータＰＤiの形態で自動化システム１８ａおよび制御技術的情報システム１８ｂに供給される。
発電所設備の自動化システム１８ａおよび情報システム１８ｂにおいてプロセスデータＰＤiが前処理される。場合によっては制御信号Ｓiが設備構成要素１の設備部分ａiに発せられる。測定、調節および制御事象ならび信号発生に関する集まった情報は情報システム１８ｂに格納される。自動化システム１８ａおよび情報システム１８ｂにおいて進行するプロセスによりたとえば設備構成要素１のポンプａ1ならびに弁ａ2およびａ3のような設備部分ａiを有する発電所設備が自動的に制御される。
自動化システム１８ａおよび情報１８ｂによりプロセスデータＰＤiならびに制御信号Ｓiを手掛りにして設備プロセスに対して、従ってまた設備構成要素１において進行するプロセスに対して、重要なパラメータＰiが発生され、報知Ｍiにまとめられる。これらの報知Ｍiは設備部分ａiを識別する識別子をも含んでいる。
パラメータＰiおよび／または報知Ｍiは解析モジュール２０に与えられる。解析モジュール２０には、さらに、設備プロセスを特徴付ける特徴ｍiも供給される。
特徴ｍiは状況報知、故障報知および状態報知でもあり、また設備部分ａiまたは設備構成要素の機能的、方法技術的および構造的詳細でもあり、その際にこれらの詳細は設備部分の動作の仕方および全設備におけるそれらの配置および対応付けを記述する。解析モジュール２０において各設備部分ａiに対して特徴ｍiの存在がパラメータＰiを手掛りにしてまたは報知Ｍiに基づいて予め定め得る時間窓に対して検査される。そのために各時間窓に対して文脈（コンテクスト）ＫＴiが発生され、そのなかでマトリックス２２の形態で設備部分ａiへの特徴ｍiの一義的な対応付けが実行される。
文脈ＫＴiに存在する情報を手掛りにして設備部分ａiおよび／または特徴ｍiに位置付けモジュール２４において空間的な座標が対応付けられる。その際に原理“文脈的近似は空間的近似に相応する”に従って、設備部分ａiおよび特徴ｍiの組み合わせの間の相関の度合が、たとえば２つの設備部分ａiに対してそれらに共通の特徴ｍiの数と両設備部分ａiの少なくとも１つが有する特徴ｍiの数との比が決定されることによって、決定される。この比からこれらの両設備部分ａiの間の相関の度合に対する定量的尺度が得られる。たとえば両設備部分ａiが共通の特徴ｍiのみを有するならば、両設備部分ａiは高い度合で相関している。他方、２つの設備部分ａiがすべての特徴ｍiに関して異なっているならば、それらは互いに相関していない。２つの設備部分ａiの間の相関のこの定量的尺度はそれらの空間的座標の相応の相互間隔に変換される。
また特徴ｍiの間の相関は、それらを有する設備部分ａiの数が同様の趣旨で利用されることによって、同様に決定される。
この空間的対応付けに基づいて設備部分ａiおよび特徴ｍiに対するグラフィック表示がグラフィックモジュール２６に発生される。グラフィックモジュール２６により先ず設備部分ａiに対する情報要素Ｉi(ai)および特徴ｍiに対する情報要素Ｉi(mi)が発生し、また空間的座標を手掛りにしてディスプレイ２８の上に位置付けされる。その際に情報要素Ｉi(ai)およびＩi(mi)の共通の配置は下記の条件のもとに行われる。すなわち設備部分を表す情報要素Ｉi(ai)と特徴を表す情報要素Ｉi(mi)との間の間隔は、この設備部分ａiがこの特徴ｍiを有しているならば、予め定められた第１の限界値を上回らず、またこの設備部分ａiがこの特徴ｍiを有していないならば、予め定められた第２の限界値を下回らない。換言すれば、設備部分ａiが特徴ｍiを有しているならば、それらを表す情報要素Ｉi(ai)およびＩi(mi)は互いにあまり離れて位置付けされていてはならない。それに対して、設備部分ａiが特徴ｍiを有していないならば、それらを表す情報要素Ｉi(ai)およびＩi(mi)は互いにあまり近くに位置付けされていてはならない。
たとえば蒸気管２に接続されている（図示されていない）設備部分の故障が蒸気管２の圧力上昇に通ずるとポンプａ1の回転数が低下し、また吹き出し調節弁ａ3が開く。自動化システム１８ａはその結果として蒸気弁ａ2を閉じるので、ポンプａ1の回転数は正常化されまた吹き出し調節弁ａ3が再び閉じる。それに続いて自動化システム１８ａにより蒸気弁ａ2が再び開かれた後に再び蒸気管２内の圧力が上昇し、こうして故障が除去されるまで上記の過程が繰り返される。
この過程を記述するプロセスデータＰＤi、すなわち流量センサ１２により検出される蒸気量および圧力センサ１３により検出される蒸気圧力ならびに回転数センサ１４により検出されるポンプ回転数は制御技術的な情報システム１８ｂに供給される。制御技術的な情報システム１８ｂに到来したプロセスデータＰＤiへの反応として弁ａ2およびａ3を開閉するための制御信号Ｓiが自動化システム１８ａから設備構成要素１に与えられる。
解析のためにプロセスデータＰＤiおよび制御信号Ｓiから報知Ｍiが形成される。このような報知Ｍiはたとえば「時点ｔ1−設備構成要素１−圧力センサ１３−圧力過度に高い−故障−優先順位高い」、「時点ｔ2−設備構成要素１−回転数センサ１４−回転数過度に低い−故障−優先順位高い」、「時点ｔ3−設備構成要素１−吹き出し弁ａ3−状況信号“開”」、「時点ｔ3−設備構成要素１−蒸気弁ａ2−状況信号“閉”」などである。
解析モジュール２０でこれらの報知Ｍiを手掛りにして設備部分ａ1、ａ2およびａ3に報知Ｍiが対応付けられる。すなわち報知Ｍiを手掛りにしていまこれらの設備部分ａ1、ａ2およびａ3の各特徴ｍiの存在が検査される。報知構成部分“設備構成要素１”に属するすべての特徴ｍiがこうして設備部分ａ1、ａ2およびａ3の各々に対応付けられる。既にそれにより設備部分ａ1、ａ2およびａ3は多数の特徴ｍiに合致するので、それらは高い度合で相関している。従って、これらの設備部分ａ1ないしａ3には位置付けモジュール２４において近くに並び合う空間的座標が対応付けられる。この空間的対応付けに基づいてグラフィックモジュール２６で形成されたグラフィック表示が図２に示されている。
図２から明らかなように、その際に設備部分ａ1ないしａ3および特徴ｍiに対応付けられる情報要素Ｉi(ai)またはＩi(mi)が共通に表示されている。見通しを良くするため、特徴ｍiの情報要素Ｉi(mi)およびこれらの特徴ｍiを有する設備部分ａ1ないしａ3の情報要素Ｉi(ai)はいわゆる一致線Ｌにより結ばれている。情報要素Ｉi(ai)は直方体またはさいころの形態で示されており、他方において特徴ｍiの情報要素Ｉi(mi)は円または球の形態で示されている。設備部分ａ1、ａ2およびａ3の相互の影響はその際に作用矢印Ｗによりシンボル化されている。
報知または事象報知Ｍiは時間特徴をも有する。これらの時間特徴を手掛りにして設備部分ａiの時間的相関が導出され得る。たとえば上記の報知Ｍiの２つは等しい時間特徴“ｔ3”を有し、それにより付属の事象の同時性が推定される。
時間的にまた他の形式で相関する情報要素Ｉi(ai, mi)は診断の目的で状態複合体の形態で表示される。これは図３に示されている。故障の種類に応じてこのような状態複合体は特徴的なパターンを有し、それを手掛りにして故障の種類および時間的発生が識別され得る。このような状態複合体は、現在の事象との比較のために利用され得る参照複合体としても記憶することができる。
【図１】
0003961018.tif 000002
【図２】
0003961018.tif 000003
【図３】
0003961018.tif 000004